(57)【特許請求の範囲】
【請求項１】
記録領域の概ね１／２の大きさの第１の記録領域と、記録領域の残りの概ね１／２の大きさの前記第１の記録領域とは異なる第２の記録領域を有し、映像及びオーディオデータを保持する記録装置と、
前記映像及びオーディオデータのうちの第１の区分に従う第１の映像及びオーディオデータ及び前記映像及びオーディオデータのうちの前記第１の区分とは異なる第２の区分に従う前記第１の区分の映像及びオーディオデータに付属する第２の映像及びオーディオデータのいずれか一方のデータを前記第１の記録領域に記録し、他の一方のデータを前記第２の記録領域に記録するものであって、前記第１の記録領域または前記第２の記録領域のうちの一方の記録領域に記録された前記第１の映像データ及びオーディオデータあるいは第２の映像及びオーディオデータの大きさが予め割り当てられている第１の記録領域または第２の記録領域の大きさに占める割合が所定の比率を超えた場合、前記第１の記録領域への記録と前記第２の記録領域への記録を入れ替える記録制御部と、
を具備する電子機器。
【請求項２】
前記映像及びオーディオデータを、前記第１の区分及び前記第２の区分に従い区分する設定部、をさらに具備する請求項１記載の電子機器。
【請求項３】
前記記録制御部は、前記第１の記録領域または前記第２の記録領域のうちの特定の記録領域へのアクセスの頻度を緩和する請求項１または２記載の電子機器。
【請求項４】
記録領域の概ね１／２の大きさの第１の記録領域と、記録領域の残りの概ね１／２の大きさの前記第１の記録領域とは異なる第２の記録領域を有する記録装置に映像及びオーディオデータを記録するデータ管理方法において、
映像及びオーディオデータのうちの第１の区分に従う第１の映像及びオーディオデータ及び前記映像及びオーディオデータのうちの前記第１の区分とは異なる第２の区分に従う前記第１の区分の映像及びオーディオデータに付属する第２の映像及びオーディオデータのいずれか一方のデータを前記第１の記録領域に記録し、
他の一方のデータを前記第２の記録領域に記録する際に、前記第１の記録領域または前記第２の記録領域のうちの一方の記録領域に記録された前記第１の映像データ及びオーディオデータあるいは第２の映像及びオーディオデータの大きさが予め割り当てられている第１の記録領域または第２の記録領域の大きさに占める割合が所定の比率を超えた場合、前記第１の記録領域への記録と前記第２の記録領域への記録を入れ替える
データ管理方法。
【請求項５】
前記第１の映像及びオーディオデータと前記第２の映像及びオーディオデータは、予め前記第１の区分及び前記第２の区分に従い、区分される請求項４記載のデータ管理方法。
【請求項６】
前記第１の映像及びオーディオデータと前記第２の映像及びオーディオデータの前記区分は、前記第１の記録領域または前記第２の記録領域のうちの特定の記録領域へのアクセスの頻度を緩和する請求項４または５記載のデータ管理方法。
【請求項７】
第１の記録領域と第１の記録領域とは異なる第２の記録領域を有する記録部を有し、前記第１及び第２の記録領域の記録容量は、それぞれ前記記録部の記録容量の概ね１／２に区分されている記録装置と、
映像データ及びオーディオデータを、第１の区分に従う第１の映像データ及びオーディオデータ及び前記第１の区分と異なる第２の区分に従う前記第１の区分の映像及びオーディオデータに付属する第２の映像データ及びオーディオデータに区分する区分設定部と、
前記区分設定部が区分した前記第１の映像データ及びオーディオデータ及び前記区分設定部が区分した前記第２の映像データ及びオーディオデータの一方を前記第１の記録領域に、他の一方を第２の記録領域に記録し、前記第１の記録領域または前記第２の記録領域の一方において、予め割り当てられている第１の記録領域または第２の記録領域の大きさに占める割合が所定の比率を超えた場合、前記第１の記録領域及び前記第２の記録領域を入れ替えて、前記第１の映像データ及びオーディオデータ及び前記第２の映像データ及びオーディオデータを記録する記録制御部と、
を具備する情報記録再生装置。
【請求項８】
前記記録制御部は、前記第１の記録領域または前記第２の記録領域のうちの特定の記録領域へのアクセスの頻度を緩和する請求項７の情報記録再生装置。
【発明の詳細な説明】
【技術分野】
【０００１】
この発明は、地表波や放送衛星から供給される公衆向け放送やケーブルネットワークなどにより配信される映像信号及びおよびオーディオ信号を含む情報を記録し、また既に記録した情報を再生する情報記録再生装置及びデータ管理方法に関する。
【背景技術】
【０００２】
動画情報（映像信号）やオーディオ信号（音声信号）を受信して再生するテレビ受信器や受信した動画およびオーディオを記録して保存できる録画再生装置（ビデオレコーダ）や動画撮像装置（ビデオカメラ）などの普及と発展は、めざましい。また、既にパーソナルコンピュータにおいても、テレビ放送を受信して映像や音声を再生できる機能が標準仕様として用意されている場合も少なくない。
【０００３】
このような、多くの情報の記録には、ハードディスク装置に代表される記録装置の記録容量の向上と低価格化も大きく寄与している。
【０００４】
しかしながら、記録装置の大容量化に伴って記録（保存）される情報も多くなり、情報の種類毎に異なる記録領域に記録し、再生時には情報の種類毎に連続して再生可能とする記録方法も既に実用化されている。
【０００５】
例えば、特許文献１には、受信手段で受信した放送波の音声信号の変化からＣＭ（コマーシャルメッセージ）を検出して本編と分離して記憶し、再生時に、本編を連続して再生した後でＣＭを再生する録画再生装置が開示されている。
【先行技術文献】
【特許文献】
【０００６】
【特許文献１】特開２００２−１３５７２８号公報
【発明の概要】
【発明が解決しようとする課題】
【０００７】
しかしながら、上記の文献においては、「記録媒体は、コマーシャルメッセージ放送を記録する記録領域と、それ以外の放送波を記録する記録領域と、に分割されている。」という記述があるが、記録媒体として記録容量の大きなハードディスク装置を用いる場合、ハードディスク装置の特定の記録領域への記録とその領域からの再生が繰り返されることが予想される。
【０００８】
すなわち、ハードディスク装置においても、一部の記録領域に対する高頻度の繰り返し記録と再生は、記録領域の劣化を招き、残りの記録容量が十分であるにも拘らず、一部の記録領域への記録が困難となる場合があり、記録領域内において、複数の個所へ分散して記録することが好ましい。反面、分散箇所が多すぎると、シーク／アクセスに際して記録再生ヘッドが移動される時間が増大するのみならず、未記録領域が広範囲に分散することにより、記録再生ヘッド及びその駆動機構かかる負担が増大することになる。
【０００９】
この発明の目的は、記録容量の大きな記録装置において、情報の記録に用いられる記録領域を平均化することによって、記録する映像の種類に拘わらず、記録装置を効率的に使用可能な情報記録再生装置及びデータ管理方法を提供することである。
【課題を解決するための手段】
【００１０】
実施形態は、記録装置と、記録制御部と、を具備する。記録装置は、記録領域の概ね１／２の大きさの第１の記録領域と、記録領域の残りの概ね１／２の大きさの前記第１の記録領域とは異なる第２の記録領域を有し、映像及びオーディオデータを保持する。記録制御部は、前記映像及びオーディオデータのうちの第１の区分に従う第１の映像及びオーディオデータ及び前記映像及びオーディオデータのうちの前記第１の区分とは異なる第２の区分に従う前記第１の区分の映像及びオーディオデータに付属する第２の映像及びオーディオデータのいずれか一方のデータを前記第１の記録領域に記録し、他の一方のデータを前記第２の記録領域に記録するものであって、前記第１の記録領域または前記第２の記録領域のうちの一方の記録領域に記録された前記第１の映像データ及びオーディオデータあるいは第２の映像及びオーディオデータの大きさが予め割り当てられている第１の記録領域または第２の記録領域の大きさに占める割合が所定の比率を超えた場合、前記第１の記録領域への記録と前記第２の記録領域への記録を入れ替える。
【図面の簡単な説明】
【００１１】
【図１】この発明の実施の形態が適用される情報記録再生装置の一例を示す概略図。
【図２】図１に示した映像記録装置に組み込まれるチャプタ境界設定処理部の実施形態の一例を示す概略図。
【図３】図２に示したチャプタ境界設定処理部による（１つの番組の）区分の方法の一例を説明する概略図。
【図４】図３に示したチャプタ境界設定処理部による（１つの番組の）区分の方法の別の一例を説明する概略図。
【図５】図４に示したチャプタ境界設定処理部による（１つの番組の）区分の方法のさらに別の一例を説明する概略図。
【図６】図１に示した情報記録再生装置において、ＨＤＤ（ハードディスクドライブ）内の記録領域を複数（例えば２つ）に分割して、（録画対象の番組の）本編部分と付属部分とをそれぞれの記録領域に区分して記録する状態を模式的に示す概略図。
【図７】図１に示した情報記録再生装置において、ＨＤＤ（ハードディスクドライブ）内の記録領域を複数（例えば２つ）に分割して、（録画対象の番組の）本編部分と付属部分とをそれぞれの記録領域に区分して記録するとともに、記録領域を変更して記録領域毎の使用率の不均一さを抑止する例を模式的に示す概略図。
【図８】図６に示したハードディスク内の記録領域を分割（区分）する手続きの一例を説明する概略図。
【図９】図８に示した手続きにより区分（分割）されたハードディスク内の記録領域への情報（データ）の記録の手続きの一例を説明する概略図。
【図１０】図８に示した手続きにより記録された情報区分（分割）されたハードディスク内の記録領域への情報（データ）の記録に引き続く、記録領域の変更の手続きの一例を説明する概略図。
【図１１】図８に示した手続きにより記録された情報区分（分割）されたハードディスク内の記録領域への情報（データ）の記録に引き続く、記録領域の変更の手続きの別の一例を説明する概略図。
【発明を実施するための形態】
【００１２】
以下、図面を参照して、本発明の実施の形態について説明する。
【００１３】
図１には、本発明が適用された記録再生装置（映像録画装置）の全体のブロック構成を示している。この実施の形態では、記録媒体としてＤＶＤ−Ｒなどの光ディスクとハードディスクの双方を取り扱うことができる装置（ＨＤＤ付ＤＶＤ−ＶＲレコーダ）として示しているが、記録媒体として半導体メモリなどを、適宜併用してもよい。
【００１４】
図１の映像録画装置（情報記録再生装置）は、２種類のディスクドライブ部を有する。また、図１において、左側は記録部の主なブロックを示し、右側は再生部の主なブロックを示している。
【００１５】
図１に示す映像録画装置１は、ビデオファイルを構築できる情報記録媒体である第１のメディアとしての光ディスクＭへの情報の書き込み及び光ディスクＭからの情報の再生を実行するディスクドライブ部１０１、及び第２のメディアとしてのハードディスクへの情報の書き込み及びハードディスクからの情報の再生を実行するハードディスクドライブ部（ＨＤＤ）２０１を有する。なお、光ディスクＭとしては、ＨＤ（High Definition）  ＤＶＤ規格やＤＶＤ規格のそれぞれにおいて、任意に書き換えが可能な「−ＲＡＭ」及び「±ＲＷ」や、書き換えができないが記録が可能な「±Ｒ」、記録層が２層で記録容量がさらに増大された−ＤＬなどが利用可能である。また、ディスクドライブ部１０１は、光ディスクＭに対する回転制御系、レーザ駆動系（図示しないが、波長が６５０ｎｍの赤色の光を出射する赤色レーザ素子、あるいは４０５ｎｍもしくはそれ以下の波長の青色の光を出射する青色レーザを用いる）、光学系などを有する。
【００１６】
映像録画装置１はまた、ディスクドライブ部１０１及びハードディスクドライブ部２０１に記録データを供給し、また、それぞれのドライブ部で再生された信号を受け取るデータプロセッサ部１１１を有する。データプロセッサ部１１１は、記録ならびに再生単位のデータを取り扱うもので、詳述しないが、バッファ回路、変調・復調回路、エラー訂正部などを含む。
【００１７】
映像録画装置１は、録画側を構成するエンコーダ部５０と、再生側を構成するデコーダ部６０と、装置本体の動作を制御する主制御ブロック（ＭＰＵ（マイクロプロセッシングユニット）またはＣＰＵ（セントラルプロセッシングユニット）を含み、システム制御部と称されることもある）３０とを主たる構成要素としている。
【００１８】
エンコーダ部５０は、複数のエンコーダによって構成され、各エンコーダは入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１９】
エンコーダ部５０の出力は、バッファメモリを含むフォーマッタ５１にて、ＨＤ  ＤＶＤ規格あるいはＤＶＤ規格のフォーマットに変換され、先のデータプロセッサ部１１１に供給される。エンコーダ部５０には、Ａ／Ｖ（Ａ，オーディオ／Ｖ，ビデオ）入力部４１からの外部アナログビデオ信号と外部アナログオーディオ信号、あるいはＴＶチューナ部４２からのアナログビデオ信号とアナログオーディオ信号が入力される。
【００２０】
なお、エンコーダ部５０は、直接圧縮されたデジタルビデオ信号やデジタルオーディオ信号が直接入力されるときは、圧縮デジタルビデオ信号やデジタルオーディオ信号を直接フォーマッタ５１に供給することもできる。また、エンコーダ部５０は、アナログ−デジタル変換されたデジタルビデオ信号やオーディオ信号を、ビデオミキシング部７１やオーディオセレクタ７６に直接供給することもできる。
【００２１】
エンコーダ部５０に含まれるビデオエンコーダにおいては、デジタルビデオ信号はＭＰＥＧ２（またはＭＰＥＧ１もしくはＭＰＥＧ４−ＡＶＣ）規格に基づいた可変ビットレートで圧縮されたデジタルビデオ信号に変換される。同エンコーダ部５０においては、デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００２２】
なお、エンコーダ部５０に含まれるビデオエンコーダにおいては、さらに、ＡＶ入力部４１に、例えば副映像信号の独立出力端子付のＤＶＤビデオプレーヤから副映像信号が入力された場合、あるいはこのようなデータ構成のＤＶＤビデオ信号が放送波としてＴＶチューナ部４２で受信された場合に、ＤＶＤビデオ信号中の副映像信号が副映像エンコーダでエンコード（ランレングス符号化）され、副映像のビットマップが得られる。
【００２３】
エンコードされたデジタルビデオ信号、デジタルオーディオ信号及び副映像データは、ビデオパック、オーディオパック及び副映像パックとして、フォーマッタ５１にてパック化される。個々のパックは、さらに集合されて、ＤＶＤ-ビデオ規格で規定されたフォーマット（ＤＶＤビデオフォーマット）や、ＤＶＤ-レコーディング規格で規定されたフォーマット（ＤＶＤ−ＶＲフォーマット）に変換される。
【００２４】
図１に示した映像記録装置１においては、フォーマッタ５１でフォーマットされた情報（ビデオ、オーディオ、副映像データなどのパック）及び作成された管理情報を、データプロセッサ部１１１を介してハードディスクドライブ部２０１あるいはディスクドライブ部１０１に供給し、ハードディスク（ＨＤＤ）あるいは光ディスクＭに記録することができる。また、ハードディスク（ＨＤＤ）あるいは光ディスクＭに記録された情報を、データプロセッサ部１１１、ディスクドライブ部１０１を介して光ディスクＭあるいはハードディスクに記録することもできる。また、ハードディスク（ＨＤＤ）あるいは光ディスクＭに記録されている番組のビデオオブジェクトの一部を削除したり、異なるビデオオブジェクトをつなげたり、といった編集処理を行うこともできる。
【００２５】
主制御ブロック（システム制御部）３０は、詳述しないが、ＭＰＵもしくはＣＰＵと、制御プログラム等（各フローチャート図で説明される制御を行なうファームウエア等）が書きこまれたファームウエアＲＯＭと、プログラムの実行に必要なワークエリアを提供するワークＲＡＭ（ＳＤＲＡＭ（Synchronous Dynamic Random Access Memory））などを含んでいる。主制御ブロック３０のＭＰＵは、ファームウエアＲＯＭに格納された制御プログラムに従い、ＲＡＭをワークエリアとして用いて、欠陥場所検出、未記録領域検出、録画情報記録位置設定、ＵＤＦ記録、ＡＶアドレス設定、履歴情報検索処理などを実行する。
【００２６】
すなわち、主制御ブロック３０は、システム全体を統括制御するために必要な情報処理部を有するもので、ファームウエアＲＯＭ、ワークＲＡＭ、ディレクトリ検出部のほか、図示しないがＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００２７】
ここで、この装置においては、情報記録媒体のデータ記録領域に対して、アドレスとデータのサイズの情報とを用いてアクセス単位を表すエクステントが定義されており、前記エクステントの複数を含み、ファイルを管理するファイルエントリーを利用することでデータの記録再生を行っている。主制御ブロック３０はさらに、ファイルエントリー管理部３０１を含み、ファイルエントリー管理部３０１には、エクステント管理部３０２が含まれる。なお、エクステント管理部３０２は、削除対象エクステント処理部３１０、記録済みエクステント管理部３１１、記録可能エクステント管理部３１２がある。
【００２８】
主制御ブロック３０の実行結果のうち、ユーザに通知すべき内容は、映像録画装置１に一体に設けられた表示部４３に表示されるか、または映像録画装置１に接続されるモニタディスプレイ７５に、ＯＳＤ（On Screen Display，オンスクリーンディスプレイ）表示される。
【００２９】
また、主制御ブロック３０は、映像録画装置１を動作させるための操作信号を入力するキー入力部４４を有する。キー入力部４４は、例えば映像録画装置の本体上に設けた操作スイッチ類や、あるいはリモコン装置などに相当する。また、キー入力部４４は、有線通信または無線通信あるいは光通信や赤外線通信などの手段を用いて接続されたパーソナルコンピュータ（ＰＣ）であってもよい。いずれの形態であるにせよ、ユーザがキー入力部４４を操作することにより、入力された映像音声信号の録画処理や録画されたコンテンツの再生処理、あるいは録画されたコンテンツに対する編集処理などを施すことができる。
【００３０】
なお、主制御ブロック３０がディスクドライブ部１１１、ハードディスクドライブ部２０１、データプロセッサ部１１１、エンコーダ部５０および／またはデコーダ部６０などを制御するタイミングは、ＳＴＣ（System Time Clock，システムタイムクロック）３８からの時間データに基づいて規定される。なお、録画や再生の動作は、通常は、ＳＴＣ３８からのタイムクロックに同期して実行されるが、それ以外の処理はＳＴＣ３８とは独立したタイミングで実行されてもよい。
【００３１】
デコーダ部６０は、パック構造を持つＤＶＤフォーマットの信号から、個々のパックを分離して取り出すセパレータと、パック分離やその他の信号処理実行時に使用するメモリと、セパレータで分離された主映像データ（ビデオパックの内容）をデコードするＶ（Video，ビデオ）デコーダと、セパレータで分離された副映像データ（副映像パックの内容）をデコードするＳＰ（Sub Pack，サブパック）デコーダと、セパレータで分離されたオーディオデータ（オーディオパックの内容）をデコードするＡ（Audio，オーディオ）デコーダとを有する。また、詳述しないが、デコーダ部６０は、デコードされた主映像にデコードされた副映像を適宜合成し、主映像にメニュー、ハイライトボタン、字幕やその他の副映像を重ねて出力するビデオプロセッサを備えている。
【００３２】
デコーダ部６０の出力ビデオ信号は、ビデオミキシング（Ｖミキシング）部７１に入力される。ビデオミキシング部７１では、テキストデータの合成が行われる。また、ビデオミキシング部７１には、ＴＶチューナ４２やＡ／Ｖ入力部４１からの信号を直接取り込むラインもまた接続されている。ビデオミキシング部７１には、バッファとして用いるフレームメモリ７２が接続されている。また、ビデオミキシング部７１の出力がアナログ出力の場合は、Ｉ／Ｆ（インタフェース）７３を介して外部出力され、デジタル出力の場合は、デジタル−アナログ（Ｄ／Ａ）変換器７４を介して外部へ出力される。
【００３３】
デコーダ部６０の出力オーディオ信号は、セレクタ７６を介してデジタル−アナログ変換器（Ｄ／Ａ）７７でアナログ変換され、外部に出力される。セレクタ７６は、主制御ブロック３０からのセレクト信号により制御される。なお、セレクタ７６は、ＴＶチューナ４２やＡ／Ｖ入力部４１からのデジタル信号を直接モニターする時、エンコーダ部５０をスルー（Pass thourgh）した信号を、直接選択することも可能である。
【００３４】
なお、エンコーダ部５０のフォーマッタ５１では、録画中、各切り分け情報を作成し、定期的に主制御ブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。同時に、アスペクト情報処理部からの情報を録画開始時にＭＰＵへ送り、ＭＰＵはＶＯＢストリーム情報（ＳＴＩ）を作成する。なお、ＳＴＩは、解像度データ、アスペクトデータなどを保存し、再生時、各デコーダ部において、この情報（ＳＴＩ）を元に、初期設定が行われる。
【００３５】
また、図１に示した映像録画装置１では、ビデオファイルは、１ディスクに１ファイルとしている。一方、データをアクセス（シーク）している間に、途切れないで再生を続けるために、最低限連続する情報単位（サイズ）を決めている。この単位を、エクステント（またはＣＤＡ）という。エクステントのサイズは、例えばＥＣＣ（エラー訂正コード）ブロック（１６セクタ）の倍数であり、ファイルシステムでは、このエクステントの単位で記録を行っている。
【００３６】
データプロセッサ部１１１は、エンコーダ部５０のフォーマッタ５１からＶＯＢＵ単位のデータを受け取り、エクステント単位のデータを、ディスクドライブ部１０１あるいはハードディスクドライブ部２０１に供給している。
【００３７】
一方、主制御ブロック３０のＭＰＵは、記録したデータを再生するために必要な管理情報を作成し、データ記録終了のコマンドが認識できた時点で、作成した管理情報をデータプロセッサ部１１１に送る。これにより、管理情報がハードディスク／光ディスクに記録される。従って、エンコードが行われているとき、エンコーダ部５０から主制御ブロック３０のＭＰＵは、データ単位の情報（切り分け情報など）を受け取る。
【００３８】
また、主制御ブロック３０のＭＰＵは、記録開始時には、記録（録画）対象すなわち光ディスクまたはハードディスクから読み取った管理情報（ファイルシステム）を認識し、各ディスクの未記録エリアを認識し、データプロセッサ部１１１を介して（記録対象の）ディスク上に、データ記録エリアを設定している。
【００３９】
なお、映像録画装置１では、例えば録画対象がテレビ放送の任意の番組であるような場合に、録画したテレビ番組等を再生する場合に、例えばＣＭ（コマーシャルメッセージ）などの本編部分に付属する部分を本編とは独立して再生することにより、本編部分を連続して再生することが要望されている。このため、主制御ブロック３０には、さらに、「本編以外」の情報であって、例えば「ＣＭ部分」を抽出するための、図２〜図５により後段に説明するチャプタ境界設定処理部８０が接続されている。
【００４０】
ところで、上述した映像録画装置１において、映像を録画する場合、例えばハードディスク部（ＨＤＤ）２０１などの書き換え可能なデータ記録メディアに映像及びオーディオデータを記録し、あるいは繰り返し再生する場合、特定の記録領域に高頻度でアクセスされることにより、その記録領域を劣化させることがある。また、録画したテレビ番組等を再生する場合に、例えばＣＭ（コマーシャルメッセージ）などの本編部分に付属する部分を本編とは独立して再生することにより、本編部分を連続して再生することが要望されている。なお、録画済のテレビ番組からＣＭなどの本編部分に付属する部分を削除することも可能であるが、その場合は、比較的短い記録領域（本編などを除いた際に残る記録可能領域）が複数点在し、ＨＤＤ内のデータが複雑な状態で管理されることになる。このことは、ハードディスクへのシーク／アクセスに際して、記録再生ヘッド及びその駆動機構にかかる負担を増大することになる。
【００４１】
このような背景から、映像を記録する際に、映像／音声などを解析することで、例えばＣＭ（コマーシャルメッセージ）を抽出し、ハードディスクドライブ部（ＨＤＤ）２０１内のハードディスクに、本編部分とＣＭ部分（本編に付属する部分）を区分して記録することにより、本編部分を連続して再生する際に、記録再生ヘッドが移動される時間を低減可能で、しかも記録再生ヘッド及びその駆動機構にかる負担を抑制できる。
【００４２】
しかしながら、多くの場合、本編部分と本編部分に付属する部分とは、その長さ（時間的比率）が大きく異なり、また、通常の再生においては、特定の記録領域（本編部分）に高頻度でアクセスされることになるため、本編部分が記録される記録領域が劣化する、という記録済記録領域の不均一化（非平均化）が生じることになる。このため、実際に映像を記録する場合には、ハードディスクの記録領域を予め複数、例えば２に分割し、本編部分の記録に利用された記録領域の大きさが、予め割り当てられている記録領域の大きさに占める割合が所定の比率を超えた場合に、本編部分の記録に割り当てられる記録領域と付属する部分の記録に割り当てられる記録領域とを入れ替えることにより、ハードディスクの記録領域の均一な利用も促進される。
【００４３】
なお、ＣＭ（コマーシャルメッセージ）などの本編部分に付属する部分は、図２〜図５により以下に説明するチャプタ境界設定処理部により、容易に抽出できる。
【００４４】
図２において、チャプタ境界設定処理部８０は、映像構造化処理部８０ｐにより取得された第１の区切り情報（チャプタ分割点）と、任意区間検出処理部８０ｑにより取得された第２の区切り情報（任意区間情報又は音声区間情報又はＣＭ区間情報）に基づいて、「ＣＭ」が含まれていることを検出する。なお、映像構造化処理部８０においては、第２の区切り情報で設定された任意区間内に、第１の区切り情報が存在する場合には、この第１の区切り情報を非採用とする。また、図３は、図２に説明したチャプタ境界設定処理部８０の動作を説明するために、主要部を抜き出したものである。
【００４５】
図２に示す任意区間検出処理部８０ｑは、無音検出装置８１を含む。
【００４６】
無音検出装置８１は、所定時間音声レベルが閾値以下の部分を無音部として検出する。
【００４７】
無音検出装置８１は、無音情報を出力し、無音時刻記録装置８２に供給する。
【００４８】
無音部時刻記録装置８２は、番組における無音部が判定された時刻の情報である無音時刻情報を保持する。
【００４９】
無音時刻記録装置８２に記録された無音時刻情報は、無音部間隔計算装置８３にて処理される。
【００５０】
無音部間隔計算装置８３は、さらにブロック化すると無音部と次の無音部との時間間隔が一定時間（Ａ）の倍数であるかどうかを判定する無音部時間間隔計測部８３ａと、時間間隔が一定時間（Ａ）の倍数であれば、無音部の検出をカウントする無音部カウント処理部８３ｂと、無音部のカウント数が閾値（Ｂ）個以上あれば、最初と最後に現れた無音部に対して、区切り情報を設定する無音部の条件判定部８３ｃとを含む。
【００５１】
図３に示されるように、入力すなわちＡ／Ｖ入力部４１あるいはＴＥＶチューナ部４２から供給される映像信号と音声信号は、映像構造化処理部８０ｐ、任意区間検出処理部８０ｑに入力される。
【００５２】
それぞれに入力された映像信号および音声信号は、第１の区切り情報（構造化情報と称される）と、第２の区切り情報（任意区間情報と称される）は、チャプタ境界設定処理部８０ｒに入力される。
【００５３】
チャプタ境界設定部８０ｒは、第１と第２の区切り情報を重ねた第３の区切り情報を得る。但し、所定の条件に当てはまるチャプタ分割点は、不採用とし、採用されたチャプタ分割点を記録装置１３の管理情報に挿入する。
【００５４】
図４は、チャプタ境界設定処理部８０の動作をさらに詳細に説明している。
【００５５】
任意の番組の時間方向（時刻の一連の変化、通常は積算）に対して、映像構造化処理部８０ｐにより、ｃ１、ｃ２、…、ｃ５のように、チャプタ分割点（第１の区切り情報）が検出されたとする。
【００５６】
一方、同じ番組の時間方向に対して、任意区間検出処理部８０ｑは、第２の区切り情報ｍ１、ｍ２、ｍ３、ｍ４を検出し、任意区間をｍ１とｍ２の間、とｍ３とｍ４の間に設定しているものとする。
【００５７】
すると、任意区間（ｍ１−ｍ２）に、映像構造化処理部８０ｐにより検出された区切り情報ｃ３が存在する。このような場合、区切り情報ｃ３を否採用とする。
【００５８】
これにより、チャプタ分割点が、任意区間内（例えばステレオを音声が連続するような区間）に付加されることがない。任意の区間とは、例えば音声モードが変化せず連続している区間、あるいは、ステレオモードが連続している区間などである。さらには、所定帯域内の音声周波数が連続しているような区間である。
【００５９】
なお、図２ないし図４に示したチャプタ境界設定処理部および任意区間検出処理部においては、図５に示すように、任意区間検出処理部８０ｑを、ＣＭ区間検出用として用いることもできる。
【００６０】
例えば、ｍ１−ｍ２の区間と、ｍ３−ｍ４の区間がＣＭ区間として検出されたものとする。このＣＭ区間（ｍ１−ｍ２）に、映像構造化処理部８０ｐにより検出された区切り情報ｃ３が存在するものとする。このような場合、区切り情報ｃ３を否採用とする。これにより、ＣＭ区間内にチャプタ分割点が設定されることがない。
【００６１】
実際に映像を記録する場合には、上述した図２〜図５によりＣＭ部分を検出し、例えば図６（ａ）および（ｂ）に示すように、２つに分割されたハードディスクドライブ部（ＨＤＤ）２０１内の本編部分の記録に利用される部分（第１の記録領域の記録位置Ａ）と付属する部分の記録に利用される部分（第２の記録領域の記録領域Ｂ）のそれぞれに、本編部分と付属する部分とを、順に記録すればよい。
【００６２】
より詳細には、図８に示すように、ハードディスクドライブ部（ＨＤＤ）２０１のハードディスクを初期化する際に、初期記録位置を設定する＜８１ブロック＞。このとき、例えば記録領域を概ね中央（中心）付近で２つに分割し、先頭側の領域を記録領域Ａ（第１の記録領域）、中央から最後までの領域を記録領域Ｂ（第２の記録領域）とする。この状態が、図６（ａ）に対応する。
【００６３】
次に、２つに区分されたハードディスクの記録領域のうちの第１の記録領域（記録領域Ａ）に、例えば本編部分を記録し、第２の記録領域（記録位置Ｂ）に、本編に付属する部分を記録すればよい＜８２ブロック＞。この状態が、図６（ｂ）に対応する。
【００６４】
なお、ユーザから要求があった場合には、例えば記録領域Ｂ（第２の記録領域）に記録されている付属する部分が消去される＜８３ブロック＞。この状態が、図６（ｃ）に対応する。
【００６５】
以下、実際の映像の記録においては、図９に示すように、上記図２〜図５に従って、本編部分（必ず再生されるであろう、本編データ）と付属部分（場合によっては再生されないかも知れない、付属データ）とが識別される＜９１ブロック：記録データの解析（本編データ／付属データ）＞。
【００６６】
続いて、＜９１ブロック＞による判定の結果＜９２ブロック＞を元に、本編部分と付属部分が、それぞれのデータの属性（本編／付属）に基いて、異なる記録位置に記録される＜９３ブロック（本編→記録位置Ａから記録），９４ブロック（付属→記録位置Ｂから記録）＞。
【００６７】
以下、予約された録画終了時間あるいは（ユーザにより）録画停止が指示されるまでの間、＜９１ブロック＞〜＜９４ブロック＞が繰り返されて、番組が録画される＜９５ブロック＞。
【００６８】
この方法により、本編部分のデータ及び付属部分のデータを一箇所にまとめて記録することが可能となる。また、付属部分のデータを削除した場合においても、ハードディスクの記録領域において、残ったデータが（細切れに、かつ比較的短い記録領域に）分割（細分化）された状態になることが防止される。
【００６９】
図１０は、図９に示した録画動作の別の実施の形態の一例を示す。
【００７０】
図８及び図６を用いて、ハードディスクドライブ部（ＨＤＤ）２０１の記録領域を、例えば２つに分割して、本編部分と付属部分とを別々に記録することは、既に説明したが、多くの場合、本編部分と本編部分に付属する部分とは、その長さ（時間的比率）が大きく異なり、また、通常の再生においては、特定の記録領域（本編部分）に高頻度でアクセスされることになるため、本編部分が記録される記録領域が劣化する、という記録済記録領域の不均一化（非平均化）が生じることになるが知られている。
【００７１】
このため、図１０に示すように、実際に映像を記録する場合には、ハードディスクドライブ（ＨＤＤ）部２０１内のハードディスクの記録領域を、例えば２つに分割し、本編部分の記録に利用された記録領域の大きさが、予め割り当てられている記録領域Ａ（第１の記録領域）の大きさに占める割合が所定の比率、あるいは予め設定された閾値を超えた場合に、本編部分の記録に割り当てられる記録領域（記録領域Ａ）と付属する部分の記録に割り当てられる記録領域（記録領域Ｂ）とを入れ替える（以降、本編部分を記録領域Ｂに記録し、付属部分を記録領域Ａに記録する）ことにより、ハードディスクの記録領域の均一な利用が促進される。
【００７２】
より詳細には、図９の＜９５ブロック＞において、指定された録画動作が終了した時点で、個々の記録領域（記録領域Ａ，記録領域Ｂ）のそれぞれにデータが記録されている量を計算し＜１０１ブロック：記録位置Ａ，Ｂでの記録量の計算＞、記録量（使用比率（または占有量）あるいは記録可能残量）の偏りが所定の値よりも大きいことが判断された場合＜１０２ブロック：記録位置Ａ，記録位置Ｂでの記録容量の使用比率に一定以上の偏りがある＞、引き続く（次回の）記録時から、記録位置Ａに記録するデータと記録位置Ｂに記録するデータとを入れ替える＜１０３ブロック：記録位置Ａ，Ｂを交換する＞ことにより、記録済記録領域の不均一化（非平均化）すなわち偏りの発生を抑えることができる。
【００７３】
なお、図７（ａ）〜（ｃ）に示すように、記録位置Ａ（第１の記録領域）と記録位置Ｂ（第２の記録領域）のそれぞれに対して記録容量の閾値Ｃａ，Ｃｂを設け、図１１により説明するように、直前の記録（録画）終了時に、記録位置Ａ、記録位置Ｂのそれぞれにおける記録済量を計算し＜１１１ブロック：記録位置Ａ，Ｂでの記録量の計算＞、総記録量が閾値以上の値となった場合＜１１２ブロック：記録位置Ａでの記録量が閾値Ｃａ以上＞あるいは＜１１３ブロック：記録位置Ｂでの記録量が閾値Ｃｂ以上（図７（ｂ）が対応）＞に達したことが検知された時点で、次の記録時の記録位置Ａと記録位置Ｂを交替する＜１１４ブロック：記録位置Ａ，Ｂを交換する＞ようにしてもよい。
【００７４】
この場合、引き続いて、記録（録画）が繰り返されると、記録領域Ｂに関連づけて記録領域Ａ内に移動された閾値Ｃｂと、記録領域Ａに関連づけて記録領域Ｂ内に移動された閾値Ｃａとにより、さらにそれぞれの記録領域の記録量（使用比率（または占有量）あるいは記録可能残量）に偏りが生じることが抑止される。
【００７５】
すなわち、図１１に示した手法によっても、記録位置Ａと記録位置Ｂの間で記録容量を平均化することが可能となる。
【００７６】
以上説明したように、本発明の実施の形態によれば、ハードディスク等の記録容量の大きな記録媒体にデータを記録する際に、記録領域内でデータ記録時の記録位置を変更することにより、ハードディスク内のフラグメントを抑制することが可能になり、記録用途に使用できない小容量の空きエクステントの発生を抑えることができる。これにより、ハードディスクに記録可能な容量（使用可能容量）を向上させることができる。
【００７７】
また、記録量が平均化されることにより、記録する映像の種類や大きさに拘わりなく、ハードディスク（ＨＤＤ）に代表される記録容量の大きな記録メディアを効率的に使用することが可能になる。
【００７８】
さらに、情報の記録と再生において、記録領域の先頭に近い特定の記録領域における高頻度のアクセスが緩和され、記録領域の内の一部分が劣化することも、抑止される。
【００７９】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【符号の説明】
【００８０】
１…情報記録再生装置（映像録画装置）、３０…主制御ブロック（システム制御部）、３８…ＳＴＣ（システムタイムクロック）、４１…Ａ／Ｖ入力部、４２…チューナ部、５０…エンコーダ部、６０…デコーダ部、８０…チャプタ境界設定処理部、８０ｐ…映像構造化処理部、８０ｑ…任意区間検出処理部、１０１…ディスクドライブ部、１１１…データプロセッサ部、２０１…ハードディスクドライブ（ＨＤＤ）部。
【図１】
0005148741.tif 000002
【図２】
0005148741.tif 000003
【図３】
0005148741.tif 000004
【図４】
0005148741.tif 000005
【図５】
0005148741.tif 000006
【図６】
0005148741.tif 000007
【図７】
0005148741.tif 000008
【図８】
0005148741.tif 000009
【図９】
0005148741.tif 000010
【図１０】
0005148741.tif 000011
【図１１】
0005148741.tif 000012